(57)【要約】      （修正有）【課題】義歯が合わない問題を解決することは容易ではないが、せっかく作った義歯が少しでも長く患者さんに合うようにする。【解決手段】オブラート３０を材料として下顎用の全部床義歯４の接触面の形状に成形して義歯安定剤３とした。この義歯安定剤３を全部床義歯４の接触面に粘着させた後、全部床義歯４を口内に装着すると、全部床義歯４の下顎に触れる接触面に粘着させたオブラート３０の義歯安定剤３を介して下顎に固定される。義歯安定剤３はクッション性が良好であり、かつ唾液によって徐々に溶けはするが快適な使い心地のまま長い間使い続けることが出来る。【選択図】図２
2018143749.tif 000002
【特許請求の範囲】
【請求項１】
義歯に粘着させる義歯安定剤であって、デンプンをまたは寒天を糊化した粘着層を備えていると共に、上側義歯の上顎に接する面のまたは下側義歯の下歯茎に接する面の形状に成形して成る、義歯安定剤。
【請求項２】
義歯に粘着させる義歯安定剤であって、厚さが１ｍｍ以上で３ｍｍ以下のオブラートの粘着層を備えていると共に、上側義歯の上顎に接する面のまたは下側義歯の下歯茎に接する面の形状に成形して成る、義歯安定剤。
【請求項３】
義歯に粘着させる義歯安定剤であって、粘着層として、オブラート製のシート状の基材にゲルの層が形成されていることを特徴とする、義歯安定剤。
【請求項４】
前記ゲルの層が前記基材の片側面に形成されている、請求項３に記載の義歯安定剤。
【請求項５】
２つの前記基材の間に前記ゲルの層が形成されている、請求項３に記載の義歯安定剤。
【請求項６】
前記ゲルがアルギン酸ナトリウムを主原料とするものである、請求項３〜５の何れか一に記載の義歯安定剤。
【請求項７】
前記粘着層により溶けにくい粘着部を備えている、請求項１〜６の何れか一に記載の義歯安定剤。
【発明の詳細な説明】
【技術分野】
【０００１】  この発明は、オブラートおよびゲルの粘着性を利用して、長時間ソフトにかつしっかりと顎に義歯を固定し得るようにした義歯安定剤に関する。
【背景技術】
【０００２】  義歯殊に全部床義歯を作るのに重要となるものが、個人トレーを用いて型取りした印象である。この印象からベースプレートを作り、この上にワックスを載せて咬合床を作る。咬合器を用いて咬合床のワックス部分に人工歯排列を形成して義歯を得る。この後ベースプレートにワックスを張り直し、義歯の排列と肉形成とが終わったら、義歯をフラスコ内で石膏に埋設させ、加熱によりワックスを溶かし出すと共にベースプレートを外して鋳型を作成する。続いてワックスとベースプレートを取り出して出来た空間に歯肉色のピンクのレジンを注入してプレスすると共に、フラスコを加熱してレジンを固化させる。重合が終わったらフラスコから取り出して石膏を壊して義歯を掘り出す。こうして得られた義歯を咬合器にセットして噛み合わせの調整を繰り返し行い、バリ取りや研磨を行って全部床義歯を完成させる。以上は総入れ歯を作る歯科技工の一例である。【０００３】  上述したような全部床義歯と言うものは、新しく作ってもらったばかりの頃は良く合うものの、使っている内に合わなくなるものである。モノを噛むとその加力によって生身の歯茎や時には顎の骨までもが変形するからである。これにより義歯が合わないと言う悩みが直に生じて来る。この問題の解決は容易ではないが、悩んでいる患者さんが大勢いることは確かなので何とかして解決する必要がある。【０００４】  このため粉末状やクリーム状の入歯安定剤なるものが市販されている。粉末状の入歯安定剤を使用するには、入れ歯、特に歯茎や顎に触れる面を良く洗って少し湿った状態にして、粉末を斑なく振り掛けた後に入れ歯を嵌め合わせて、指でしっかりと押さえて安定するまでまで待つようにする。またクリーム状の入歯安定剤の場合には、入れ歯の歯茎や顎に触れる面の数箇所に絞り出し、入れ歯を嵌め合わせて暫くの間指でしっかりと押さえるようにする。クリームは唾液を含んで粘着性を発揮して入れ歯を安定させる。なおこれ等の入歯安定剤は次第に溶けてなくなるが、飲みこんでも問題がないように作られている。【０００５】  また実用新案登録第３０９３２０９号は総入歯安定歯ぐき安心シートであって、脱脂綿で半円形の上の入歯用シートと帯状の下の入歯用シートとを作り、米を原料とした糊液にひたし軽くプレスし形を整えて乾燥させたものである。この入歯用シートによれば、人によって違うそれぞれの入歯にハサミで形を合せる事が出来、水をかけると瞬時に澱粉がとけて簡単に入歯につけることが出来、毎日新しいシートに手軽に取りかえることが出来ると言う利点があると言う。【０００６】  粉末状やクリーム状の入歯安定剤は使用中に次第に溶けてなくなるが、この時間が短いために効果が余り長続きしないと言う問題がある。また実用新案登録第３０９３２０９号の入歯用シートには確かに一定の効果が認められるものの、糊液が薄れて行くと脱脂綿が固くなって違和感を感じるようになる。上記同様に効果が長続きしない問題がある。
【先行技術文献】
【特許文献】
【０００７】
【特許文献１】実用新案登録第３０９３２０９号
【発明の概要】
【発明が解決しようとする課題】
【０００８】  上述したように、せっかく作った義歯なのであるから、快適な使い心地を少しでも長く患者さんに提供し続けることは出来ないだろうかと考えた。この発明はこのような問題点の解決を課題とする。
【課題を解決するための手段】
【０００９】  上記課題の解決に先立ち当発明者は、入歯に貼るものであって、クッション性が良好で且つ持続性があるものにすれば良いとの知見を得た。【００１０】  すなわち上記課題は、義歯に粘着させる義歯安定剤であって、デンプンをまたは寒天を糊化した粘着層を備えていると共に、上側義歯の上顎に接する面のまたは下側義歯の下歯茎に接する面の形状に成形して成る義歯安定剤を提供することで達成される。デンプンや寒天を糊化して成り、顎に接する面の形状にしてあるため、そのまま義歯の顎に接する面に接着すると共に顎にも接着して、義歯をしっかりと固定することが出来る。しかも厚みを大きく取ることでクッション性が良好になると共に長時間の使用に耐えるものと成る。なおデンプンや寒天は徐々に唾液に溶けるので、使用時間を勘案して上記厚みを決定すれば良い。【００１１】  また上記課題は、義歯に粘着させる義歯安定剤であって、厚さが１ｍｍ以上で、３ｍｍ以下のオブラートの粘着層を備えていると共に、上側義歯の上顎に接する面のまたは下側義歯の下歯茎に接する面の形状に成形して成る義歯安定剤を提供することにより達成される。オブラート（ｏｂｌａａｔ）は澱粉を糊化させてから乾燥させることにより生成されるが、この際にその厚さを上記の範囲とするのである。このものは顎に接する面の形状にしてあるため、義歯の顎に接する面に接着させることで、義歯を顎にしっかりと固定することが出来る。またその厚さが上記の範囲であることによってクッション性が良好で徐々に唾液に溶けるも長時間の使用に耐えることが出来るのである。【００１２】  なおオブラート（ｏｂｌａａｔ）には易溶性や難溶性のものがあり、同じ厚さや面積のものでも溶解時間の異なるものを提供することが出来る。或いは患者さんが、例えば３時間の溶解時間のものや６時間の溶解時間のものを自由に選択可能となるように、複数種類の製品を提供することも可能である。また例えば柔らかさがソフトやレギュラーやハードと言うように、顎への接触感覚に付いても異なる複数種類の製品を提供することが可能である。【００１３】  また上記課題は、義歯に粘着させる義歯安定剤であって、粘着層として、オブラート製のシート状の基材にゲルの層が形成されていることを特徴とする、義歯安定剤を提供することにより達成される。この義歯安定剤は少なくとも２層で構成されており、基材があるために、例えば顎に接する面の形状とした場合にその形状が保たれ、且つゲルの層が厚くとも安定的にこれを保持することが出来る。ゲルの層は義歯や顎への接着性やクッション性が良い。この義歯安定剤のゲルの層もオブラート製の基材も徐々に唾液に溶ける性質のものである。オブラート製の基材の易溶性や難溶性などに付いては上述した通りである。【００１４】  なお前記ゲルの層が前記基材の片側面に形成されているものとすることが出来る。この場合はオブラート製の基材の側から義歯に粘着させるようにすると良い。すると顎に接着するのはゲルの層と言うことになる。また上記の易溶性や難溶性に関することであるが、オブラート製の基材をゲルの層よりも溶けにくいように設計して、基材側を義歯に粘着させるようにすることで、ゲルの層が唾液によって失われつつある中でも基材側は残されていることにより、基材の粘着力によって義歯を顎に留めることが出来る。この場合の前記基材が後述する粘着部に当たる。【００１５】  また前記ゲルの層が前記基材の両側面に形成されているものとすることが出来る。基材は２つのゲルの層によってサンドイッチのように挟まれている。従って一側のゲルの層は義歯に他側のゲルの層は顎に接着して何方も良好なるクッション性を発揮する。この間にあってオブラート製の基材は２つのゲルの層の芯となる。【００１６】  これとは逆に、２つの前記基材の間に前記ゲルの層が形成されているものとすることが出来る。ゲルの層が両面にオブラート製の基材を有しており、オブラート製の基材の一側は義歯に他側は顎に接着する。その間にあってゲルの層は良好なるクッション性を発揮するが、徐々に唾液に溶ける性質のものではある。【００１７】  また前記ゲルの層が前記基材の両側面に形成されているものに付いて、ゲルの層の内部に前記基材が埋設されているものとすることが出来る。そうするとオブラート製の基材の端部はゲルの層に覆われているも、芯としての役割を担っていることになる。このような構造のものも提供可能である。【００１８】  なお請求項３〜５の義歯安定剤に関して、前記ゲルがアルギン酸ナトリウムを主原料とするものとしても良い。多糖類のアルギン酸ナトリウム（Ｓｏｄｉｕｍ  ａｌｇｉｎａｔｅ（ＮａＣ６Ｈ７Ｏ６）ｎ）は、主として天然の海藻などに含まれており、マグネシウムイオンやカルシウムイオンを添加するとゲル化する。この発明のオブラート製の基材のコーティングやゲルの層の製造には有効な素材の一つである。なおゲルの層の形成には澱粉、寒天、ペクチンなどのゲル化剤を任意に用いて良い。【００１９】  また請求項１〜６の義歯安定剤に関して、前記粘着層により溶けにくい粘着部を備えているものとしても良い。この点に付いては段落００１４でも説明したが、唾液などに対してより溶けやすい側が失われて行ったとしても、より溶けにくい粘着部の粘着力が作用して義歯を顎に留めることが出来るのである。なお段落００１４で説明したものは粘着層がオブラート製の基材とゲルの層とから構成されたものであったが、例えば段落００１０で説明したような、デンプンや寒天を糊化した粘着層に別途、この粘着層よりもより溶けにくい粒状の粘着剤を散らすなどして、より溶けにくい粘着部を備えるような構成も可能である。また粒状の粘着部を点在させる他にも、帯状や網状の粘着部などが任意に設計可能である。
【発明の効果】
【００２０】  この発明によれば、デンプンをまたは寒天を糊化したものや、厚さが２ｍｍ以上のオブラートや、オブラート製のシート状の基材にゲルの層を形成したものを、上側義歯の上顎に接する面のまたは下側義歯の下歯茎に接する面の形状に成形したものを、入歯に貼って顎に粘着させると言う、クッション性が良好で長時間の使用に耐える義歯安定剤を提供することが出来た。これにより大切な義歯が、快適な使い心地のまま長い間使い続けることが出来るようになると言う効果を奏する。
【図面の簡単な説明】
【００２１】
【図１】  実施例１の上顎用の義歯安定剤１と全部床義歯２との使用状態の説明図である。
【図２】  実施例２の下顎用の義歯安定剤３と全部床義歯４との使用状態の説明図である。
【図３】  実施例３を断面視した説明図である。
【図４】  実施例４を断面視した説明図である。
【図５】  実施例５を断面視した説明図である。
【図６】  実施例６の上顎用の義歯安定剤８を斜視した説明図である。
【発明を実施するための形態】
【実施例１】
【００２２】  図１により上顎用の全部床義歯２に粘着させるための義歯安定剤１を説明する。全部床義歯２は人工歯排列２１が形成された義歯床２０の、生身の上顎に触れる側となる接触面２２が滑らかな面に成形されているものである。【００２３】  実施例１の義歯安定剤１はこのような上顎用の全部床義歯２に粘着させて用いるものであって、寒天を糊化して成る寒天ゼリー１０であると共に、全部床義歯２の接触面２２の形状に成形して成る。なお図示はしないが寒天ゼリー１０の両側面、義歯側面１１と顎側面１２とには、使用前の不本意な粘着や汚染を防ぐための薄いカバーが掛けられており、使用に臨んではこの薄いカバーは取り去られる。【００２４】  そこで義歯安定剤１を義歯側面１１から全部床義歯２の接触面２２に粘着させた後に、全部床義歯２を口内に装着すると、全部床義歯２の上顎に触れる接触面２２に粘着させた義歯安定剤１を介して、その顎側面１２が上顎に粘着して上顎に固定されることになる。義歯安定剤１はクッション性が良好であり、義歯安定剤１は唾液によって徐々に溶けはするが快適な使い心地のまま長い間使い続けることが出来るのである。
【実施例２】
【００２５】  図２により下顎用の全部床義歯４に粘着させるための義歯安定剤３を説明する。全部床義歯４は人工歯排列４１が形成された義歯床４０の、下顎に触れる側となる接触面４２が滑らかな面に成形されているものである。【００２６】  実施例２の義歯安定剤３はこのような下顎用の全部床義歯４に粘着させて用いるものであって、厚さが３ｍｍのオブラート３０から成るものであると共に全部床義歯４の接触面４２の形状である所の略Ｕ字形状に成形して成るものである。オブラート３０の上記接触面４２に粘着する側が義歯側面３１であり、下顎に粘着する側が顎側面３２である。なお義歯安定剤３の内部は外側の面よりも柔らかい。【００２７】  この義歯安定剤３を全部床義歯４の接触面４２に粘着させた後、全部床義歯４を口内に装着する。この場合、全部床義歯４の下顎に触れる接触面４２に粘着している義歯安定剤３を介して下顎に粘着することになる。オブラート３０は唾液により粘着性を発揮して、義歯側面３１が接触面４２に顎側面３２が下顎に強くに粘着する。この際に義歯安定剤３はクッション性を有する。また義歯安定剤３のオブラート３０は唾液によって徐々に溶けはするが、快適な使い心地のまま長い間使い続けることが可能である。【００２８】  なお３ｍｍ厚のオブラートは、例えば２０μｍ厚の薬用のシート状のオブラートの１５枚分を重合することでも得ることが可能である。
【実施例３】
【００２９】  図３はこの実施例を断面視して表した模式図である。義歯安定剤５はアルギン酸ナトリウムを主原料とするゲル状物質から成るゲル層５２の片側面に、上記基材としてのシート状のオブラート５１の層を設けて成るものである。なお上顎に粘着させるものであるか、或いは下顎に粘着させるものであるか、その用途によって形状が異なる。【００３０】  この義歯安定剤５は、ゲル層５２の面で顎に粘着させるのか、オブラート５１の面で顎に粘着させるのかは、患者さんの好みに任されている。なおオブラート５１とゲル層５２とで溶け具合を同じにしたり或いは異なるようにしたりと、任意に設計して良い。
【実施例４】
【００３１】  図４はこの実施例を断面視して表した模式図である。義歯安定剤６はアルギン酸ナトリウムを主原料とするゲル状物質から成るゲル層６２の両側面に、上記基材としてのシート状のオブラート６１，６１の層を設けて成るものである。やはり上顎に粘着させるものであるか下顎に粘着させるものであるかによって義歯安定剤６の全体の平面形状が異なる。【００３２】  ゲル層６２の両側面に基材としてのオブラート６１，６１の層が形成されていることにより、ゲル層６２を両側面から安定的に保持することが出来る。
【実施例５】
【００３３】  図５はこの実施例を断面視して表した模式図である。義歯安定剤６はアルギン酸ナトリウムを主原料とするゲル状物質から成るゲル層７２の内部にシート状のオブラート７１の層を埋設して成るものである。オブラート７１の層はゲル層７２に覆われているも、芯としての役割を担うことが出来る。またゲル層７２は義歯にも顎にも良質のクッションとして作用する。【００３４】  なお図５でゲル層７２の左右両側に付いて、鎖線で表すように、ゲル層７２の端部にまで至るようなオブラート７３を用いる設計とすることも可能である。すなわちオブラート７３をその両面から２つのゲル層７２，７２でサンドイッチのように挟み付けたものとするのである。この場合一側のゲル層７２は義歯にまた他側のゲル層７２は顎に接着して、何方に対しても良好なクッション性を発揮するのである。
【実施例６】
【００３５】  図６により上顎用の全部床義歯に粘着させるための義歯安定剤８を説明する。全部床義歯は生身の上顎に触れる側となる接触面が滑らかな面に成形されているものである。この実施例の義歯安定剤８はこのような上顎用の全部床義歯に粘着させて用いるものであり、寒天ゼリー８０の義歯側面８１と顎側面８２との両側面に、寒天ゼリー８０よりも溶ける時間が長く掛かる強粘着粒８３を散らして成ると共に、全部床義歯の上記接触面の形状に成形して成るものとした。強粘着粒８３は直径１ｍｍのビーズである。【００３６】  そこで義歯安定剤８を全部床義歯の接触面に粘着させた後、全部床義歯を口内に装着すると、全部床義歯の上顎に触れる接触面に粘着させた義歯安定剤８を介して上顎に固定されることになる。義歯安定剤８はクッション性が良好であり、義歯安定剤８は唾液によって徐々に溶けはするが快適な使い心地のまま長い間使い続けることが出来る。しかも寒天ゼリー８０が溶けて失われつつあるとしても、溶ける時間の掛かる強粘着粒８３の作用によって全部床義歯および上顎に粘着し続けることが出来るのである。なお強粘着粒８３の大きさや形状は任意に設計して良い。
【産業上の利用可能性】
【００３７】  この発明はパーティーグッズのジョーク商品としての義歯にも適用することが十分可能である。義歯以外にも義舌などを構成することが出来る。
【符号の説明】
【００３８】  １    義歯安定剤
１０  寒天ゼリー
１１  義歯側面
１２  顎側面
３    義歯安定剤
３０  オブラート
３１  義歯側面
３２  顎側面
５    義歯安定剤
５０  オブラート
５１  ゲル層
６    義歯安定剤
６０  オブラート
６１  ゲル層
７    義歯安定剤
７０  オブラート
７１  ゲル層
７２  オブラート
８    義歯安定剤
８０  寒天ゼリー
８１  義歯側面
８２  顎側面
８３  強粘着粒
【図１】
2018143749.tif 000003
【図２】
2018143749.tif 000004
【図３】
2018143749.tif 000005
【図４】
2018143749.tif 000006
【図５】
2018143749.tif 000007
【図６】
2018143749.tif 000008